(57)【要約】    【課題】  安静保持が容易で、下肢の内旋、外旋を防ぐことができる下肢架台を提供する。    【解決手段】  下肢架台１０は、支持フレーム２０に支持された袋状体１２が可塑性を有するため、患者の下肢が該袋状体１２に埋まり、下肢の内旋、外旋を防ぐことができる。また、袋状体１２に踵、脹ら脛、太股が均等に埋まるので、特定の部位に圧力が集中せず、患者に痛みを感じさせることがなく、安静保持が容易で、無理なく下肢を保持することができる。また、膝角度を固定したまま股関節角度を変えることができる。【選択図】  図１
2007006952.tif 000002
【特許請求の範囲】
【請求項１】
可塑性と共に復元性を有する袋状体と、該袋状体を支持する支持部材とからなる下肢架台であって、
前記支持部材が、前記袋状体を床面から離して保持する保持部と、一端が床面に接し他端が前記保持部を支持する大腿部側脚部と足首側脚部とから成ることを特徴とする下肢架台。
【請求項２】
前記袋状体が通風性を有する袋内にビーズを充填してなることを特徴とする請求項１の下肢架台。
【請求項３】
前記袋状体の保持部が２本の保持部スペーサを介在させた１対の対向するフレーム部材と、当該１対のフレーム部材の間に懸架され前記袋状体を支持するネットとからなり、
前記大腿部側脚部と前記足首側脚部が、一端が第スペーサを介在させた対向する１対のフレーム部材を備え、当該フレーム部材の他端が前記保持部スペーサにより枢支されることで、大腿部側脚部及び足首側脚部が、前記保持部に対して角度調整可能にしたことを特徴とする請求項１又は請求項２の下肢架台。
【請求項４】
前記保持部を構成するフレーム部材と、前記大腿部側脚部と前記足首側脚部を構成するフレーム部材に、それぞれ通孔を穿設し、該通孔にピンを連通させることで角度固定可能にしたことを特徴とする請求項３の下肢架台。
【請求項５】
前記保持部を構成する１対のフレーム部材が、それぞれ２枚の板材を摺動可能に保持することで、伸縮可能に構成したことを特徴とする請求項３又は請求項４の下肢架台。
【請求項６】
少なくとも前記大腿部側脚部と前記足首側脚部の一方を構成する１対のフレーム部材が、それぞれ２枚の板材を摺動可能に保持することで、伸縮可能に構成したことを特徴とする請求項３又は請求項４の下肢架台。
【請求項７】
前記保持部の前記保持部スペーサが、Ｕ字状に形成され、前記１対のフレーム部材の間に枢支されていることを特徴とする請求項３〜請求項５のいずれか１の下肢架台。
【発明の詳細な説明】
【技術分野】
【０００１】
本発明は、下肢を支持する下肢架台に関し、特に入院中等においてベッド上で使用する架台に関するものである。
【背景技術】
【０００２】
従来より、膝の関節を人工関節に交換する手術を受けた際には、膝の関節を動かさないようにした状態を術後３〜４週間保つ必要がある。係る場合に、図８に示すブラウン下肢架台８０にて下肢を固定していた。ブラウン下肢架台８０は、脹ら脛側を乗せる平坦部８０ａと、太股側を乗せる傾斜部８０ｂと、足を固定するためのベルト８２とを備えてなる。
下肢を保持するための構成としては、特許文献１に長時間載置したままの状態を維持しても患者に疲労や苦痛を与えるようなことがないようにした下肢架台が提案されている。
【特許文献１】特開平８−１９５７５号公報
【発明の開示】
【発明が解決しようとする課題】
【０００３】
しかしながら、上述したブラウン下肢架台では、踵、脹ら脛、太股の特定部分に圧力が加わってしまうため、患者が痛みを感じて、膝を動かさない状態を長く続けることが非常に困難であった。また、就寝中に上記ベルト８２が当たると痛いため、ベルト８２を外してしまうことがある。ここで、ベルトを外した状態で寝返りすると、下肢が内旋、外旋し、大腿部が脱臼することがあった。
【０００４】
特許文献１では、架台が膝付近に当たらないようにすることで、腓骨神経麻痺を予防することが記載してある。しかし、踵、脹ら脛、太股の特定部分に圧力が加わってしまうため、患者に痛みを感じさせてしまう。更に、従来技術と同様に、寝返りした際に下肢が内旋、外旋し、大腿部に脱臼を生じるおそれがある。
【０００５】
本発明は、上述した課題を解決するためになされたものであり、その目的とするところは、安静保持が容易で、下肢の内旋、外旋を防ぐことができる下肢架台を提供することにある。
【課題を解決するための手段】
【０００６】
上記目的を達成するため、請求項１の発明は、可塑性と共に復元性を有する袋状体と、該袋状体を支持する支持部材とからなる下肢架台であって、
前記支持部材が、前記袋状体を床面から離して保持する保持部と、一端が床面に接し他端が前記保持部を支持する大腿部側脚部と足首側脚部とから成ることを技術的特徴とする。
【発明の効果】
【０００７】
請求項１は、支持部材に支持された袋状体が可塑性を有するため、患者の下肢が該袋状体に埋まり、下肢の内旋、外旋を防ぐことができる。また、袋状体に踵、脹ら脛、太股が均等に埋まるので、特定の部位に圧力が集中せず、患者に与える刺激が少なくなり、患者に痛みを感じさせることがない。このため、患者は、安静保持が容易で、無理なく下肢を一定の屈曲状態に保つことができる。一方、袋状体が復元性を有するため、繰り返し利用することが可能である。
【０００８】
請求項２では、袋状体が通風性を有する袋内にビーズを充填してなるため、通気性が良好で、該袋状体に埋まった状態で下肢が蒸れることがなく、無理なく一定の屈曲状態を保つことができる。
【０００９】
請求項３では、袋状体の保持部が２本の保持部スペーサを介在させた１対の対向するフレーム部材と、当該１対のフレーム部材の間に懸架され袋状体を支持するネットとからなり、大腿部側脚部と足首側脚部が、一端がスペーサを介在させた対向する１対のフレーム部材を備え、当該フレーム部材の他端が保持部スペーサにより枢支されることで、大腿部側脚部及び足首側脚部が、保持部に対して角度調整可能にしてある。このため、保持部の高さ、及び、傾きを調整することができ、全ての患者が使用可能なように調整できる。更に、袋状体が、保持部材のネットと保持部スペーサとにより支持されるため、袋状体の下面での通気が確保され、通気性が良好で、該袋状体に埋まった状態で下肢が蒸れることがなく、無理なく一定の屈曲状態を保つことができる。
【００１０】
請求項４では、保持部を構成するフレーム部材と、大腿部側脚部と足首側脚部を構成するフレーム部材に、それぞれ通孔を穿設し、該通孔にピンを連通させることで角度固定可能にしてある。このため、簡易な構成で保持部の高さ、及び、傾きを調整することができる。
【００１１】
請求項５では、保持部を構成する１対のフレーム部材が、それぞれ２枚の板材を摺動可能に保持することで、伸縮可能に構成してあるため、保持部の長さを調整することができ、全ての患者が使用可能なように調整できる。
【００１２】
請求項６では、大腿部側脚部と足首側脚部の一方を構成する１対のフレーム部材が、それぞれ２枚の板材を摺動可能に保持することで、伸縮可能に構成してあるため、大腿部側脚部、足首側脚部の長さを調整することができ、全ての患者が使用可能なように調整できる。
【００１３】
請求項７では、保持部の保持部スペーサが、Ｕ字状に形成され、１対のフレーム部材の間に枢支されている。袋状体をＵ字状の保持部スペーサで受けるようにするので、支持部材で袋状体を安定して支持することができる。
【発明を実施するための最良の形態】
【００１４】
以下、本発明の実施形態に係る下肢架台について図１〜図７を参照して説明する。
図１は、実施形態に係る下肢架台の使用態様の説明図である。下肢架台１０は、可塑性と共に復元性を有する袋状体１２と、該袋状体１２を支持する支持フレーム２０とからなる。支持フレーム２０は、袋状体１２を床面（ベット）から離して保持する保持部３０と、一端が床面に接し他端が保持部３０を支持する大腿部側脚部４０と足首側脚部５０とから成る。
【００１５】
図３（Ａ）は袋状体１２の平面図であり、図３（Ｂ）は側面図であり、図３（Ｃ）は斜視図である。袋状体１２は、略直方形状に形成され、通風性を有するメッシュの袋１２ａ内に図示しないビーズを充填してなる。このビーズにより、袋状体１２に可塑性と共に復元性を持たせてある。なお、ここでは、ビーズを用いたが、この代わりに、そば殻、籾殻等を天然素材を用いることもでき、更には、ウレタン樹脂等のスポンジ状のようか僅かな弾性を有する柔軟な部材を用いることも可能である。
【００１６】
図４は支持フレーム２０の斜視図であり、図５は支持フレーム２０の平面図及び構成部材の側面図であり、図６は支持フレーム２０の構成部材の側面図であり、図７は支持フレームの調整機能の説明図である。
図４に示すように支持フレーム２０の保持部３０は、２本の保持部スペーサ３２、３２を介在させた１対の対向するフレーム部材３４、３４と、当該１対のフレーム部材３４、３４の間に懸架され袋状体１２を支持するネット３８Ａ、３８Ｂとからなる。
【００１７】
一方、大腿部側脚部４０は、一端が第２スペーサ４２を介在させた対向する１対のフレーム部材４４、４４を備え、該１対のフレーム部材４４、４４には、袋状体１２を支持するネット４８が懸架されている。ここで、大腿部側脚部４０は、フレーム部材４４、４４が、保持部３０の保持部スペーサ３２により枢支されることで、保持部３０に対して角度調整が可能になっている。
【００１８】
他方、足首側脚部５０は、一端が第３スペーサ５２を介在させた対向する１対のフレーム部材５４、５４を備え、該１対のフレーム部材５４、５４には、袋状体１２を支持するネット５８が懸架されている。ここで、足首側脚部５０は、フレーム部材５４、５４が、保持部３０の保持部スペーサ３２により枢支されることで、保持部３０に対して角度調整が可能になっている。
【００１９】
大腿部側脚部４０及び足首側脚部５０の角度調整機構について更に詳細に説明する。
図５に示すように、保持部３０のフレーム部材３４は、２枚の板材３４Ａ、３４Ｂから成る。同様に、大腿部側脚部４０のフレーム部材４４は、２枚の板材４４Ａ、４４Ｂから成る。保持部３０の板材３４Ｂの端部には、保持部スペーサ３２のピン３２ｃを枢支する軸孔６４が形成され、該軸孔６４の周りには、該軸孔６４を中心とするピン孔６６ｂが穿設されている。一方、大腿部側脚部４０の板材４４Ａの端部には、上述した板材３４Ｂの軸孔６４と連通して、保持部スペーサ３２のピン３２ｃを枢支する軸孔６４が形成されている。該軸孔６４に近接して角度調整ピン６２を固定するための固定孔６６ａが形成されている。
【００２０】
足首側脚部５０のフレーム部材５４の端部には、保持部スペーサ３２のピン３２ｃを枢支する軸孔６４が形成され、該軸孔６４の周りには、該軸孔６４を中心とするピン孔６６ｂが穿設されている。一方、保持部３０の板材３４Ａの端部には、上述したフレーム部材５４の軸孔６４と連通して、保持部スペーサ３２のピン３２ｃを枢支する軸孔６４が形成されている。該軸孔６４に近接して角度調整ピン６２を固定するための固定孔６６ａが形成されている。
【００２１】
角度調整ピン６２は、該固定孔６６ａ内に収納、固定される固定軸部６２ｂと、該固定軸部６２ｂから突出して、上記ピン孔６６ｂ内へ挿通されるピン６２ａと、該ピン６２ａを固定軸部６２ｂから突出、収容させるノブ６２ｃとを備える。ここで、ピン６２ａは、図示しないバネにより付勢された常には固定軸部６２ｂから突出しており、ノブ６２ｃを引っ張ることで、固定軸部６２ｂ内に収容される。
【００２２】
図７（Ｂ）に示すように足首側脚部５０の角度調整、又は、図７（Ｃ）に示すように大腿部側脚部４０の角度調整の際には、一対の角度調整ピン６２のノブ６２ｃを引き、何れかのピン孔６６ｂ内へ挿通されているピン６２ａを、固定軸部６２ｂ内へ収容することで、ロックを解除する。この状態で、足首側脚部５０又は大腿部側脚部４０の角度調整を行う。そして、調整が成された角度で、角度調整ピン６２のピン６２ａがバネに付勢されてピン孔６６ｂ内へ挿通され、ロックが成される。
【００２３】
引き続き、保持部３０及び大腿部側脚部４０の長さ調整機構について説明する。
図５を参照して上述したように、保持部３０のフレーム部材３４は、２枚の板材３４Ａ、３４Ｂから成る。板材３４Ａの略中央位置には、長さ調整ハンドル６０のねじ山６０ａと螺合するねじ孔７６が穿設され、端部には、ピン７４を固定するピン孔７２が穿設されている。一方、板材３４Ｂには、上記長さ調整ハンドル６０を摺動させるための長孔７０ａと、上記ピン７４を摺動させるための長孔７０ｂとが形成されている。
【００２４】
同様に、大腿部側脚部４０のフレーム部材４４は、２枚の板材４４Ａ、４４Ｂから成る。板材４４Ｂの略中央位置には、長さ調整ハンドル６０のねじ山６０ａと螺合するねじ孔７６が穿設され、端部には、ピン７４の固定するピン孔７２が穿設されている。一方、板材４４Ａには、上記長さ調整ハンドル６０を摺動させるための長孔７０ａと、上記ピン７４を摺動させるための長孔７０ｂとが形成されている。
【００２５】
図７（Ｄ）に示すように保持部３０の長さ調整の際には、長さ調整ハンドル６０をアンロック方向へ回動することで、板材３４Ａと板材３４Ｂとの摺動を可能にした後、長さを調整し、その後、長さ調整ハンドル６０をロック方向へ回動することで、板材３４Ａと板材３４Ｂと固定する。同様にして、図７（Ｅ）に示すように、大腿部側脚部４０の長さを調整する。
【００２６】
なお、板材３４Ａ、３４Ｂ、４４Ａ、４４Ｂ、フレーム部材５４は、アルミニューム合金からなり、支持フレーム２０の軽量化が図られている。ここで、図５中に示すように、保持部スペーサ３２は、Ｕ字状の軸３２ａの外周に、ウレタン等の弾性部材により構成される緩衝部材３２ｂが配置されてなり、該軸３２ａがピン３２ｃに固定されている。Ｕ字状の保持部スペーサ３２は、ネット３８Ａ、３８Ｂ、４８、５８と共に上述した袋状体１２を支持する。
【００２７】
また、第２スペーサ４２は、軸４２ａの外周に、緩衝部材４２ｂが配置されてなり、該軸４２ａが、板材４４Ｂの端部に設けられた通孔６８へ挿通される。同様に、第３スペーサ５２は、軸５２ａの外周に、緩衝部材５２ｂが配置されてなり、該軸５２ａが、フレーム部材５４の端部に設けられた通孔６８へ挿通される。この緩衝部材４２ｂ、５２ｂは、ベッドと直接接触するため、滑り止めの機能も持たせてある。
【００２８】
患者の体型、及び、膝の保持角度に合わせて、図７中に示すように足首側脚部５０、大腿部側脚部４０の角度調整、及び、保持部３０及び大腿部側脚部４０の長さ調整が成された後、支持フレーム２０に袋状体１２が載置される。
【００２９】
下肢架台１０の使用に際して、患者は仰臥し、図１に示すように下肢部を下肢架台１０に膝を曲げた状態で載置する。
下肢架台１０は、支持フレーム２０に支持された袋状体１２が可塑性を有するため、患者の下肢が該袋状体１２に埋まり、下肢の内旋、外旋を防ぐことができる。また、袋状体１２に踵、脹ら脛、太股が均等に埋まるので、特定の部位に圧力が集中せず、患者に与える刺激が少なくなり、患者に痛みを感じさせることがない。このため、患者は、安静保持が容易で、無理なく下肢を一定の屈曲角度に保つことができる。一方、袋状体１２は復元性を有するため、繰り返し利用することが可能である。
【００３０】
ここで、図２は、図１中に示す保持部３０と大腿部側脚部４０との角度を維持したまま、保持部３０と足首側脚部５０との角度を変えることで、膝の保持角度（膝角度）を一定に保ったまま、股関節の保持角度（股関節角度）を変えた状態を示している。実施形態の下肢架台１０では、膝角度を一定に保ったまま股関節角度を変えることができる。
【００３１】
実施形態の下肢架台１０では、袋状体１２が通風性を有するメッシュの袋１２ａ内にビーズを充填してなる。このため、通気性が良好で、該袋状体１２に埋まった状態で下肢が蒸れることがなく、患者は無理なく下肢を一定の屈曲角度に保つことができる。
【００３２】
図４を参照して上述したように下肢架台１０では、袋状体１２の保持部３０が２本の保持部スペーサ３２を介在させた１対の対向するフレーム部材３４、３４と、当該１対のフレーム部材３４、３４の間に懸架され袋状体１２を支持するネット３８Ａ、３８Ｂとからなり、大腿部側脚部４０と足首側脚部５０が、一端がスペーサ４２、５２を介在させた対向する１対のフレーム部材４４、４４、５４、５４を備え、当該フレーム部材４４、４４、５４、５４の他端が保持部スペーサ３２により枢支されることで、大腿部側脚部４０及び足首側脚部５０が、保持部３０に対して角度調整可能にしてある。このため、保持部３０の高さ、及び、傾きを調整することができ、全ての患者が使用可能なように調整できる。更に、袋状体１２が、保持部３０材のネット３８Ａ、３８Ｂと保持部スペーサ３２、３２とにより支持されるため、袋状体１２の下面での通気が確保され、通気性が良好で、該袋状体１２に埋まった状態で下肢が蒸れることがなく、患者は無理なく下肢を一定の屈曲角度に保つことができる。
【００３３】
下肢架台１０は、保持部３０を構成するフレーム部材３４、３４と、大腿部側脚部４０と足首側脚部５０を構成するフレーム部材４４、４４、５４、５４に、それぞれ通孔（ピン孔）６６ｂを穿設し、該通孔（ピン孔）６６ｂに角度調整ピン６２のピン６２ａを連通させることで角度固定可能にしてある。このため、簡易な構成で保持部３０の高さ、及び、傾きを調整することができる。
【００３４】
本実施形態の下肢架台１０では、保持部３０の保持部スペーサ３２が、Ｕ字状に形成され、１対のフレーム部材３４、３４の間に枢支されている。袋状体１２をＵ字状の保持部スペーサ３２で受けるようにするので、支持フレーム２０で袋状体１２を安定して支持することができる。
【産業上の利用可能性】
【００３５】
上述した実施形態では、板材３４Ａ、３４Ｂ、４４Ａ、４４Ｂ、フレーム部材５４がアルミニューム合金で製造されたが、鉄板、樹脂板を用いることも、更には板材ではなく、パイプ材等を用いることも可能であることは言うまでもない。更に、本実施形態では、大腿部側脚部４０のみを伸縮可能に構成したが、足首側脚部５０側も伸縮可能に構成することも可能である。
【図面の簡単な説明】
【００３６】
【図１】本発明の実施形態に係る下肢架台の使用態様の説明図である。
【図２】図１中に示す保持部と大腿部側脚部との角度を維持したまま、足首側脚部の角度を変えた使用態様の説明図である。
【図３】図３（Ａ）は袋状体の平面図であり、図３（Ｂ）は側面図であり、図３（Ｃ）は斜視図である。
【図４】支持フレームの斜視図である。
【図５】支持フレームの平面図及び構成部材の側面図である。
【図６】支持フレームの構成部材の側面図である。
【図７】支持フレームの調整機能の説明図である。
【図８】図８（Ａ）は従来技術に係るブラウン下肢架台の斜視図であり、図８（Ｂ）は該ブラウン下肢架台の使用態様の説明図である。
【符号の説明】
【００３７】
１０  下肢架台
１２  袋状体
１２ａ  メッシュ
２０  支持フレーム（支持部材）
３０  保持部
３２  保持部スペーサ
３４  フレーム部材
３４Ａ、３４Ｂ  板材
３８Ａ、３８Ｂ  ネット
４０  大腿部側脚部
４２  第２スペーサ
４４  フレーム部材
４４Ａ、４４Ｂ  板材
４６  固定ハンドル
４８  ネット
５０  足首側脚部
５２  第３スペーサ
５４  フレーム部材
５８  ネット
６０  長さ調整ハンドル
６２  角度調整ピン
６２ａ  大径部
６２ｂ  小径部
６４  軸孔
６６ａ、６６ｂ  ピン孔
６８  通孔
７０ａ、７０ｂ  長孔
７２  ピン孔
７４  ピン
７６  ねじ孔
【図１】
2007006952.tif 000003
【図２】
2007006952.tif 000004
【図３】
2007006952.tif 000005
【図４】
2007006952.tif 000006
【図５】
2007006952.tif 000007
【図６】
2007006952.tif 000008
【図７】
2007006952.tif 000009
【図８】
2007006952.tif 000010